(57)【要約】【課題】最新の情報を迅速かつ容易に提供することのできる情報収集システムを提供する。【解決手段】情報端末１０１〜１０４と、情報端末が属する移動通信ネットワーク１０５と、移動通信ネットワークとは異なる他のネットワーク１０６を介して移動通信ネットワークに接続される情報収集サーバ１０７とで構成され、情報端末の移動通信ネットワークへの位置登録時に、情報端末に設定された固有のＩＤ及びＩＤ以外の情報を情報端末から情報収集サーバへ送信し、情報端末から送信されたＩＤが情報収集サーバに予め記録されたＩＤと一致する場合には、情報収集サーバがＩＤ以外の情報を受信して記録する情報収集システム。情報収集サーバは、ＨＴＴＰを介して記録した情報を配信することができ、ＷＷＷサーバのデータベースサーバとして機能するように構成することができる。【選択図】　図１
2004134918.tif 000002
【特許請求の範囲】
【請求項１】
情報端末と、
該情報端末が属する移動通信ネットワークと、
該移動通信ネットワークとは異なる他のネットワークを介して該移動通信ネットワークに接続される情報収集サーバとで構成され、
前記情報端末の前記移動通信ネットワークへの位置登録時に、該情報端末に設定された固有のＩＤ及び該ＩＤ以外の情報を前記情報端末から前記情報収集サーバへ送信し、前記情報端末から送信されたＩＤが前記情報収集サーバに予め記録されたＩＤと一致する場合には、前記情報収集サーバが前記ＩＤ以外の情報を受信して記録することを特徴とする情報収集システム。
【請求項２】
移動通信ネットワークに属する情報端末であって、
該移動通信ネットワークへの位置登録時に、該移動通信ネットワークとは異なる他のネットワークを介して該移動通信ネットワークに接続された情報収集サーバへのＩＤ及び該ＩＤ以外の情報を送信することを特徴とする情報端末。
【請求項３】
移動通信ネットワークとは異なる他のネットワークを介して該移動通信ネットワークに接続された情報収集サーバであって、
該移動通信ネットワークに属する情報端末から送信されたＩＤが予め記録されたＩＤと一致する場合には、前記ＩＤ以外の情報を受信して記録することを特徴とする情報収集サーバ。
【請求項４】
ＨＴＴＰを介して記録した情報を配信することを特徴とする請求項３記載の情報収集サーバ。
【請求項５】
ＷＷＷサーバのデータベースサーバとして機能することを特徴とする請求項３または４記載の情報収集サーバ。
【発明の詳細な説明】
【０００１】
【発明の属する技術分野】
本発明は、情報収集システムに関し、特に、携帯電話等の情報端末から発信された情報を収集する情報収集システムに関する。
【０００２】
【従来の技術】
従来、ナビゲーションシステム等に利用されている、例えば、飲食店、宿泊施設、ガソリンスタンド等の地図以外の情報は、ＣＤ−ＲＯＭやＤＶＤ−ＲＯＭ等の固定記憶媒体に保存され、必要に応じてナビゲーションシステム等から引き出して利用されていた。また、インターネットを介して個人が必要な情報を検索して利用することも行われていたが、必ずしも最新の情報をデータベースから引き出せている状況ではなかった。
【０００３】
【発明が解決しようとする課題】
すなわち、従来のシステムでは、特に固定記憶媒体を利用する場合には、情報が書き込まれた時点で情報の更新が停止し、新たに書き換える手段を備えないため、利用者がナビゲーションシステム等から得る情報は、常に最新のものであるとは限らないという問題があった。
【０００４】
また、上述の従来のシステムでは、常に新しい情報を提供するためには、▲１▼情報提供元からの情報入手、▲２▼情報整理、▲３▼記憶媒体への書き込み、▲４▼配布という段階を踏む必要があるため、情報の提供に大幅な遅延が生ずるという問題もあった。
【０００５】
そこで、本発明は、上記従来の技術における問題点に鑑みてなされたものであって、最新の情報を迅速かつ容易に提供することのできる情報収集システムを提供することを目的とする。
【０００６】
【課題を解決するための手段】
上記目的を達成するため、請求項１記載の発明は、情報収集システムであって、情報端末と、該情報端末が属する移動通信ネットワークと、該移動通信ネットワークとは異なる他のネットワークを介して該移動通信ネットワークに接続される情報収集サーバとで構成され、前記情報端末の前記移動通信ネットワークへの位置登録時に、該情報端末に設定された固有のＩＤ及び該ＩＤ以外の情報を前記情報端末から前記情報収集サーバへ送信し、前記情報端末から送信されたＩＤが前記情報収集サーバに予め記録されたＩＤと一致する場合には、前記情報収集サーバが前記ＩＤ以外の情報を受信して記録することを特徴とする。
【０００７】
請求項２記載の発明は、移動通信ネットワークに属する情報端末であって、該移動通信ネットワークへの位置登録時に、該移動通信ネットワークとは異なる他のネットワークを介して該移動通信ネットワークに接続された情報収集サーバへのＩＤ及び該ＩＤ以外の情報を送信することを特徴とする。
【０００８】
請求項３記載の発明は、移動通信ネットワークとは異なる他のネットワークを介して該移動通信ネットワークに接続された情報収集サーバであって、該移動通信ネットワークに属する情報端末から送信されたＩＤが予め記録されたＩＤと一致する場合には、前記ＩＤ以外の情報を受信して記録することを特徴とする。
【０００９】
請求項４記載の発明は、請求項３記載の情報収集サーバであって、ＨＴＴＰを介して記録した情報を配信することを特徴とする。
【００１０】
請求項５記載の発明は、請求項３または４記載の情報収集サーバであって、ＷＷＷサーバのデータベースサーバとして機能することを特徴とする。
【００１１】
そして、本発明によれば、従来のように、情報提供元からの情報整理記憶媒体への書き込み、配布等という一連の動作を踏むのではなく、情報提供者の意志により提供された情報を情報端末を介して自動的に収集することにより、情報の遅延を最小限に留めることが可能となり、情報利用者が常に最新の情報を得ることができる。また、情報提供者が持つ情報端末内の情報を更新するだけで、当該者が明確な送信要求をすることなく自動でサーバの情報を更新することができる。ここで、一般的に普及している携帯電話を含む情報端末を情報送信源とすることにより、いつでもどこでも情報送信を行うことができ、主に文字情報を受信し活用するといった携帯電話を含む情報端末が本システム導入により低価格な情報発信基地となり得る。
【００１２】
【発明の実施の形態】
次に、本発明の実施の形態について図面を参照しながら詳細に説明する。
【００１３】
図１は、本発明にかかる情報収集システムの一実施の形態を示す。一般的なセルラー電話システムに組み込まれた携帯電話等の情報端末１０１〜１０４は、建物内の商店や店舗に配置され、無線基地局１００及びセルラー電話網１０５の図示しない上位局と通信を行っている。また、セルラー電話網１０５は、インターネット網１０６と図示しないゲートウェイを介して接続され、情報収集サーバ１０７は、インターネット網１０６と接続されている。
【００１４】
そして、情報端末１０１〜１０４は、情報端末内の不揮発メモリに、図３に示す更新有無フィールド３０１と、情報数フィールド３０２と、情報フィールド３０３、３０４、３０５・・３０ｎを保有する。　尚、情報収集サーバ１０７は、インターネット網１０６に接続可能であり、一般的なデータベースを扱うことができ、情報端末１０１〜１０４から送信される固有ＩＤ及び固有ＩＤ以外の付加情報を受信することができ、情報収集サーバ１０７が保有するデータベース内の情報更新間隔フィールドの条件により、固有ＩＤ及び固有ＩＤ以外の付加情報を収集する間隔を変更し、セルラー電話網１０５と情報端末１０１〜１０４との間、及びセルラー電話網１０５と、インターネット網１０６と、情報収集サーバ１０７との間で一日に一度のみ更新されればよい情報や、刻々と変化する情報等の様々な情報の性質を考慮し、各ノードにおいて無駄なトラヒックを流さないようにすることができる。
【００１５】
情報収集サーバ１０７は、携帯電話等の情報端末や、汎用パーソナルコンピュータからのＨＴＴＰによるデータ送受信要求に応じられることが望ましいが、他のＷＥＢサーバやＦＴＰサーバ等に接続され、図示しないＷＥＢサーバで提供する情報のデータベースとして動作する形態でもよい。
【００１６】
次に、図１乃至図３を参照しながら情報端末１０１〜１０４から情報収集サーバ１０７へデータを送信する方法について説明する。
【００１７】
情報端末１０１〜１０４は、無線基地局１００のエリアに在圏したときに位置登録動作を行う。図２を参照すると、情報端末２００は、セルラー電話網２０１へ位置登録を行うときにセルラー電話網２０１へ位置登録要求２０３を行う。ここで、セルラー電話網２０１は、情報端末２００へ認証要求２０４を行い、情報端末２００は、情報端末の固有の情報（ＩＤ等）をセルラー電話網２０１へ送り、位置登録受付２０６を受信する。尚、情報端末２００は、位置登録に失敗したときには、セルラー電話網２０１より位置登録拒否２０７を受信し、情報送信動作は行われない。
【００１８】
この後、図３の不揮発メモリ内の更新有無フィールド３０１に「更新有り」というフラグが立っている場合には、セルラー電話網２０１は、その端末ＩＤとともに図２の情報収集サーバ２０２へ情報送信要求２０８を送る。ここで、情報収集サーバ２０２は、送信されたＩＤを元に、関連する自身が持つデータベースの更新間隔フィールドを参照し、更新してもよいと判断された場合には、情報端末２００へ情報送信応答２０９を送り、更新不可と判断された場合には、情報拒否応答２１０を送信し、情報端末２００からの情報収集動作を行わないようにする。
【００１９】
そして、情報端末２００は、情報送信応答２０９を受信した場合には、図３の不揮発メモリ内の情報数フィールド３０２の情報を元に情報フィールド３０３、３０４・・に書かれている情報を情報送信２１１として情報収集サーバ２０２へ送信する。情報収集サーバ２０２は、送信された情報に対する情報受信応答２１２を情報端末２００へ送り、情報端末２００からの情報送信が終了するまで情報送信２１１と情報受信応答２１２が繰り返される。そして、情報端末２００からの情報送信２１１が終わるとき、情報端末２００は、情報収集サーバ２０２へ情報送信終了２１３を送信し、情報収集サーバ２０２より情報送信終了応答２１４を受信すると、情報送信動作が完了する。
【００２０】
次に、本情報収集システムの実施例について、図４乃至図７を用いて詳細に説明する。
【００２１】
図４において、情報端末４０１〜４０４は、無線基地局４００のエリアに在圏し、各々の情報端末４０１〜４０４には、送信情報が既に設定されているものとする。尚、情報端末４０１から情報収集サーバ４０７への情報送信は、一日に一度という契約になっているものとする。
【００２２】
図５を参照すると、情報端末４０１には、送信情報の例として、商店名５０３、住所５０４、電話番号５０５、営業時間５０６、商店からの情報５０７及びメールアドレス５０８が設定されているものとする。　また、端末４０８〜４１０は、情報端末４０１〜４０４と同様に、無線基地局４００のエリアに在圏しており、セルラー電話網４０５の加入者となっている。そして、この端末４０８〜４１０は、セルラー電話網４０５を介してインターネット網４０６に接続することが可能で、情報収集サーバ４０７にＨＴＴＰを用いてアクセス可能となっている。
【００２３】
そして、情報収集サーバ４０７は、図６に示すデータベース６００を備え、データベース６００は、端末ＩＤフィールド６０１、更新間隔フィールド６０２、最終更新日時フィールド６０３、商店名フィールド６０４、住所フィールド６０５、電話番号フィールド６０６、営業時間フィールド６０７、コメントフィールド６０８及びメールアドレスフィールド６０９を保持する。
【００２４】
端末ＩＤフィールド６０１には、本情報収集システムに登録されている端末のＩＤが記録され、更新間隔フィールド６０２は、情報端末４０１〜４０４が情報収集サーバ４０７へ情報を送信する間隔を示し、情報端末との契約によりリアルタイム性を要する情報を情報収集サーバへ送信する場合には、一日一度送信する場合、一週間に一度送信する場合等に変更可能としておいてもよい。最終更新日時フィールド６０３は、情報端末４０１〜４０４から情報が送信された時間を記録しておくフィールドであり、端末４０８〜４１０からのアクセスがあったときに表示するようにしてもよい。
【００２５】
次に、情報端末４０１の動作について図７を参照しながら説明する。
【００２６】
情報端末４０１には、図５に示すように、既に送信したい情報が設定されているため、更新有無フィールド５０１には「更新有り」を示すフラグが立った状態である。ここで、情報端末４０１は、位置登録を行うため、図７に示す位置登録要求７０３を送信する。セルラー電話網４０５は、情報端末４０１からの位置登録要求に対して認証要求７０４を送信し、認証応答７０５を受信する。そして、位置登録を受け付けるときには、位置登録受付７０６を情報端末４０１へ送信し、位置登録に失敗したときには、情報端末４０１へ位置登録拒否７０７を送信する。
【００２７】
ここで、位置登録受付を受信した情報端末４０１は、図５の更新有無フィールド５０１に「更新有り」を示すフラグが立っているため、情報送信要求７０８を情報収集サーバ４０７へ送信することになるが、情報収集システムの契約により一日に一度情報を送信することになっているため、更新有無フィールド５０１が「更新あり」という状態であったとしても、情報収集サーバ４０７は、図６のデータベース６００内の更新間隔フィールド６０２と最終更新日時フィールド６０３より更新する状況ではないと判断した場合には、情報送信拒否７１０を情報端末４０１へ送信する。
【００２８】
また、一日一度の情報送信時間の位置登録動作において、情報端末４０１の更新有無フィールド５０１が「更新無し」状態の場合には、情報収集サーバ４０７への情報送信要求７０８は行わない。
【００２９】
以上の条件をクリアした場合には、情報端末４０１は、情報収集サーバ４０７に対して図５に示す情報端末４０１に設定された情報フィールド５０３を情報収集サーバ４０７へ送信し（７１１）、情報フィールド５０３の受信応答７１２を受信する。以後、情報フィールド５０４の送信７１３、情報フィールド５０４の受信応答７１４、情報フィールド５０５の送信７１５、情報フィールド５０５の受信応答７１６、情報フィールド５０６の送信７１７、情報フィールド５０６の受信応答７１８、情報フィールド５０７の送信７１９、情報フィールド５０７の受信応答７２０、情報フィールド５０８の送信７２１、情報フィールド５０８の受信応答７２２というように、順番に情報を情報収集サーバ４０７へ送信する。
【００３０】
また、情報収集サーバ４０７は、受信した情報５０３〜５０８を、図６に示す情報収集サーバ４０７のデータベース６００へ順次登録していくことになる。
【００３１】
そして、情報端末４０１は、送信すべき情報が終わったときには、情報送信終了７２３を情報収集サーバ４０７へ送信し、情報送信終了応答７２４を受信することで一連の情報送信動作が完了し、情報収集サーバ４０７は、データベースの登録動作を完了する。
【００３２】
この情報収集サーバ４０７のデータベース６００へは、図４の端末４０８〜４１０やインターネットに接続された他の端末やパーソナルコンピュータ等からのＨＴＴＰアクセスが可能となり、情報端末４０１が送信した情報５０３〜５０８を得ることが可能となる。
【００３３】
以上、本発明の情報収集システムの一例を示したが、情報端末が送信する情報を変更することにより様々な用途へ応用することが可能となる。　例えば、フリーマーケット会場において本情報収集システムを利用すると、情報端末は、予め主催者等が設定したサーバへフリーマーケットの各出展者からの情報送信に利用することが可能となり、フリーマーケットが広大で、沢山の出展者がいる場合でも、各出展者の持つ情報端末がリアルタイムに情報収集サーバへ情報を送信することで、購入者は主催者のホームページへアクセスすることで様々な出展者・出品物から希望の物を購入者の持つ端末から探すことが可能となり、労力と時間を節約することができる。一方、各出展者は、詳細な出品物情報や値段を情報収集サーバへ送信することで、他の出展者より購入者へ商品販売をアピールすることが可能となる他、インターネットに接続されたあらゆる端末からも出品情報を閲覧されることにより、フリーマーケットが開催されている時間だけでなく未来にわたっても商品販売をアピールすることが可能となる。すなわち、購入者、出展者の両方にメリットが生じる。そして、情報収集サーバへ購入者が探している商品を登録すると、出展者から情報が届くようにすることで更なるメリットを生じさせることも可能である。
【００３４】
また、展示会会場での各ブースでの情報発信へも同様な応用が可能となる他、街にある様々な建物や自動販売機等に情報端末を設置しておくことで本情報収集システムがガイドマップの役割を果たすことも可能となる。
【００３５】
【発明の効果】
以上説明したように、本発明によれば、最新の情報を迅速かつ容易に提供することのできる情報収集システムを提供することができる。
【図面の簡単な説明】
【図１】本発明にかかる情報収集システムの基本構成を示す図である。
【図２】本発明にかかる情報端末、移動通信ネットワーク及び情報収集サーバ間の制御シーケンスを示す図である。
【図３】本発明にかかる情報端末に保存される情報フィールドを示す図である。
【図４】本発明にかかる情報収集システムの一実施例のシステム構成を示す図である。
【図５】本発明にかかる情報端末に保存される制御情報及び情報である。
【図６】本発明にかかる情報収集サーバが保持するデータベース例を示す図である。
【図７】本発明にかかる情報収集システムの動作例を示すシーケンス図である。
【符号の説明】
１００　　無線基地局
１０１〜１０４　情報端末
１０５　セルラー電話網
１０６　インターネット網
１０７　情報収集サーバ
１０８〜１１０　一般の端末
２００　情報端末
２０１　セルラー電話網
２０２　情報収集サーバ
２０３　位置登録要求
２０４　認証要求
２０５　認証応答
２０６　位置登録ＯＫ時の位置登録受付
２０７　位置登録失敗時の位置登録拒否
２０８　更新フラグＯＮ時の情報送信要求
２０９　更新時間間隔ＯＫ時の情報送信応答
２１０　更新時間間隔ＮＧ時の情報送信拒否
２１１　情報送信
２１２　情報受信応答
２１３　情報送信終了
２１４　情報送信終了応答
３０１　更新有無フィールド
３０２　情報数フィールド
３０３〜３０ｎ　情報フィールド
４００　無線基地局
４０１〜４０４　　情報端末
４０５　セルラー電話網
４０６　インターネット網
４０７　情報収集サーバ
４０８〜４１０　　一般の端末
５０１　更新有無フィールド
５０２　情報数フィールド
５０３　情報フィールドにおける商店名フィールド
５０４　情報フィールドにおける住所フィールド
５０５　情報フィールドにおける電話番号フィールド
５０６　情報フィールドにおける営業時間フィールド
５０７　情報フィールドにおけるコメントフィールド
５０８　情報フィールドにおけるメールアドレスフィールド
６００　情報収集サーバのデータベース
６０１　情報収集サーバのデータベースにおける端末ＩＤフィールド
６０２　情報収集サーバのデータベースにおける更新間隔フィールド
６０３　情報収集サーバのデータベースにおける最終更新日時フィールド
６０４　情報収集サーバのデータベースにおける商店名フィールド
６０５　情報収集サーバのデータベースにおける住所フィールド
６０６　情報収集サーバのデータベースにおける電話番号フィールド
６０７　情報収集サーバのデータベースにおける営業時間フィールド
６０８　情報収集サーバのデータベースにおけるコメントフィールド
６０９　情報収集サーバのデータベースにおけるメールアドレスフィールド
７０３　情報端末４０１からセルラー電話網４０５への位置登録要求
７０４　セルラー電話網４０５から情報端末４０１への認証要求
７０５　情報端末４０１からセルラー電話網４０５への認証応答
７０６　位置登録ＯＫ時、セルラー電話網４０５から情報端末４０１へ送られる位置登録受付
７０７　位置登録失敗時、セルラー電話網４０５から情報端末４０１へ送られる位置登録拒否
７０８　更新フラグＯＮ時の情報送信要求
７０９　更新時間間隔ＯＫ時の情報送信応答
７１０　更新時間間隔ＮＧ時の情報送信拒否
７１１　情報フィールド５０３送信
７１２　情報フィールド５０３受信応答
７１３　情報フィールド５０４送信
７１４　情報フィールド５０４受信応答
７１５　情報フィールド５０５送信
７１６　情報フィールド５０５受信応答
７１７　情報フィールド５０６送信
７１８　情報フィールド５０６受信応答
７１９　情報フィールド５０７送信
７２０　情報フィールド５０７受信応答
７２１　情報フィールド５０８送信
７２２　情報フィールド５０８受信応答
７２３　情報送信終了
７２４　情報送信終了応答
【図１】
2004134918.tif 000003
【図２】
2004134918.tif 000004
【図３】
2004134918.tif 000005
【図４】
2004134918.tif 000006
【図５】
2004134918.tif 000007
【図６】
2004134918.tif 000008
【図７】
2004134918.tif 000009